(57)【要約】【課題】脈波センサを固定するサポータのサイズを特定する。【解決手段】検出部位１２に接触させて脈拍を検出する脈波センサ８を、前記検出部位に適正圧力で固定するためのサポータ２０のサイズを特定するための帯状ゲージ３０ａであって、検出部位に巻回可能な可撓性を有する素材で形成された一様な幅の帯部３１と、帯部の一端に一体的に形成された幅広部３３とを有し、幅広部には、前記帯部を前記検出部位に巻回した状態で保持するための帯部保持部（３４，３５）が形成されているとともに、長手方向の長さの基準点３６を有し、帯部には、前記サポータの特定サイズを示すサイズ表示部（３９Ｓ，３９Ｍ、３９Ｌ）が長手方向に連続して複数表記され、各サイズ表示部には、該当のサイズが識別可能に表記されているとともに、隣り合う前記サイズ表示部の境界は、前記長手方向に二つのサイズの重複領域４０が設けられている。【選択図】図３
2010194226.tif 000002
【特許請求の範囲】
【請求項１】
検出部位に接触させて脈拍を検出する脈波センサを、前記検出部位に適正圧力で固定するためのサポータのサイズを特定するための帯状ゲージであって、
前記検出部位に巻回可能な可撓性を有する素材で形成された一様な幅の帯部と、
当該帯部の長手方向の一端に一体的に形成された幅広部とを有し、
前記幅広部には、前記帯部を前記検出部位に巻回した状態で保持するための帯部保持部が形成されているとともに、長手方向の長さの基準点を有し、
前記帯部には、前記サポータの特定サイズを示すサイズ表示部が長手方向に連続して複数表記され、
各サイズ表示部には、該当のサイズが識別可能に表記されているとともに、隣り合う前記サイズ表示部の境界は、前記長手方向に二つのサイズの重複領域が設けられていること
を特徴とする脈波センサ用サポータのサイズ特定ゲージ。
【請求項２】
請求項１において、前記重複領域は、前記帯部の幅方向に対して傾斜する斜線であることを特徴とする脈波センサ用サポータのサイズ特定ゲージ。
【請求項３】
請求項１において、前記重複領域は、前記長手方向に向かって色や濃淡に徐々に移行するグラデーション表示となっていることを特徴とする脈波センサ用サポータのサイズ特定ゲージ。
【請求項４】
請求項１において、前記長手方向に互いに隣り合う前記サイズ表示部は、幅が異なり、前記重複領域は、一方のサイズ表示部の幅から他方のサイズ表示部の幅に徐々に変化していく表示となっていることを特徴とする脈波センサ用サポータのサイズ特定ゲージ。
【請求項５】
請求項１において、前記帯部には、前記基準点からの長手方向の長さを表記するための目盛りが付記されていることを特徴とする脈波センサ用サポータのサイズ特定ゲージ。
【発明の詳細な説明】
【技術分野】
【０００１】
この発明は、手首や指などを検出部位として、当該検出部位に脈波センサを接触させた状態で固定するサポータの最適サイズを決定するためのゲージに関する。
【背景技術】
【０００２】
現代社会において、健康管理に対する認識が高まる中、利用者が運動中の脈拍数などを手軽に測定するための機器として携帯型の脈拍計が提供されている。この脈拍計は、脈波センサを備え、そのセンサが脈拍に伴う脈波信号を検出し、その信号に基づいて脈拍数などを表示するものである。脈波センサは、例えば、赤外線や可視光の光源と受光センサとを備えて、ヘモグロビンの吸光特性を利用して脈拍を検出する光センサ、あるいは脈拍を振動として検出する圧電センサなどによって構成されている。
【０００３】
このような脈波センサは、手首や指などを脈拍の検出部位として、その検出部位に接触しつつ、適宜な圧力で押圧された状態で固定される。すなわち、圧力が大きすぎても小さすぎても脈拍を正確に検出することができない。脈拍を正しく検出するためには、脈波センサを検出部位に固定する際の圧力を所定の範囲内に収まるように調整する必要がある。そこで、検出部位に脈波センサを接触させつつ、その上から、伸縮素材でできたサポータを巻き付けることで、脈波センサが最適な圧力で検出部位に接触した状態で固定される。なお、検出部位の太さには個人差があるため、各種サイズのサポータが用意される。また、以下の特許文献１や２に記載されているサポータは、正しい圧力で巻回されているかどうかを利用者が確認できるようになっている。
【先行技術文献】
【特許文献】
【０００４】
【特許文献１】特開平５−３２９１１７号公報
【特許文献２】特開２００６−５５５１７号公報
【発明の概要】
【発明が解決しようとする課題】
【０００５】
脈波センサを使って正確に脈拍を検出するためには、特許文献１や２のサポータであっても、まず、利用者における検出部位の太さに合った最適なサイズのサポータを選定することから始めなくてはならない。サイズの選定に失敗すれば、サポータを適正圧力で巻回する以前にサポータによる圧力調整範囲を逸脱し、脈拍の検出自体が不可能となる。
【０００６】
一般的に、サポータのサイズを特定するためには、検出部位の太さとサポータのサイズとの対応表を用意しておき、検出部位の太さを巻き尺などで測り、その測定した太さに応じたサイズを対応表に基づいて特定する。巻き尺の目盛りをサイズ表記にしてもよい。しかしながら、サポータのサイズは、普通、Ｓ、Ｍ、Ｌの３種類程度、多くてもＳＳ、ＬＬを含めて５種類程度である。そのため、利用者の検出部位の太さが二つのサイズの境界付近にある場合も十分にあり得る。このような場合、利用者は、どちらのサイズのサポータを選択すればよいのか分からなくなる。
【０００７】
また、通常サポータは、端部を人手で裁縫を行い、管状に加工する。しかし、人手で裁縫する場合には、どうしても縫い代のばらつきが生じ、結果としてセンサを押す圧力にばらつきが生じる。また生体自体の血流等も個人差によって異なるため、高圧でセンサを保持したほうが検出性が向上する場合と、低圧でセンサを保持したほうが検出性が向上する場合が生じる。
【０００８】
そこで本発明は、脈波センサを前記検出部位に適正圧力で固定するためのサポータのサイズを特定するためのゲージであって、その目的は、サポータ自体の製造上のばらつきと、生体固有のばらつきを考慮し、検出部位の太さが二つのサイズの境界付近であっても適切なサイズのサポータを特定できるようにすることにある。
【課題を解決するための手段】
【０００９】
上記目的を達成するための主たる発明は、検出部位に接触させて脈拍を検出する脈波センサを、前記検出部位に適正圧力で固定するためのサポータのサイズを特定するための帯状ゲージであって、
前記検出部位に巻回可能な可撓性を有する素材で形成された一様な幅の帯部と、
当該帯部の長手方向の一端に一体的に形成された幅広部とを有し、
前記幅広部には、前記帯部を前記検出部位に巻回した状態で保持するための帯部保持部が形成されているとともに、長手方向の長さの基準点を有し、
前記帯部には、前記サポータの特定サイズを示すサイズ表示部が長手方向に連続して複数表記され、
各サイズ表示部には、該当のサイズが識別可能に表記されているとともに、隣り合う前記サイズ表示部の境界は、前記長手方向に二つのサイズの重複領域が設けられていること
を特徴とする脈波センサ用サポータのサイズ特定ゲージとしている。  
なお、以下では、上記主たる発明に加え、他の発明の特徴についても明らかにする。
【図面の簡単な説明】
【００１０】
【図１】腕時計型脈拍計を示す図である。
【図２】上記脈拍計を使用するときの状態を示す図である。
【図３】本発明の実施例におけるゲージを示す図である。
【図４】上記実施例のゲージの使用状態を示す図である。
【図５】上記実施例のゲージの特徴を説明するための図である。
【図６】本発明のその他の実施例におけるゲージを示す図である。
【図７】本発明のその他の実施例におけるゲージを示す図である。
【発明を実施するための形態】
【００１１】
＝＝＝本発明の特徴＝＝＝
本発明は、上記主たる発明に係る脈波センサの固定用サポータの他に、以下の特徴を備えた脈波センサの固定用サポータにも及んでいる。  
前記重複領域は、前記帯部の幅方向に対して傾斜する斜線であること。  
前記重複領域は、前記長手方向に向かって色や濃淡に徐々に移行するグラデーション表示となっていること。  
前記長手方向に互いに隣り合う前記サイズ表示部は、幅が異なり、前記重複領域は、一方のサイズ表示部の幅から他方のサイズ表示部の幅に徐々に変化していく表示となっていること。  
前記帯部には、前記基準点からの長手方向の長さを表記するための目盛りが付記されていること。
【００１２】
＝＝＝本発明の利用形態＝＝＝
本発明は、脈波センサを手首や指などの検出部位に固定するためのサポータのサイズを決定するための物差し（ゲージ）であり、ここでは、携帯型の脈拍計に取り付けて使う脈波センサの固定用サポータのサイズを特定する事例を挙げて、本発明を説明する。
【００１３】
図１は、携帯型脈拍計の一例を外観図として示した。この脈拍計１は、一般的なデジタル腕時計と同様の外観を有し、人の手首に装着するためのリストバンド２を備え、ケース３前面には時刻や脈拍数を初め、各種情報を文字や数字によって表示するための液晶表示器（ＬＣＤ）４が配置されている。また、ケース３の周囲やケース３前面のフレーム部分にはこの脈拍計１を操作するための各種ボタン５が配設されている。ケース３には、着脱可能なコネクタ６が装着され、そのコネクタ６から外部に案内されたケーブル７の先端に脈波センサ８が接続されている。
【００１４】
図２に上記脈拍計１を人体に装着し、脈拍の計測が可能となっている状態を示した。この例では、人の左手１０の示指基節骨部分（人差し指１１の付け根側）を検出部位１２とし、脈波センサ８は、この部位１２に接触した状態で固定される。そして、脈波センサ８にて検出された脈波信号は、ケーブル７とコネクタ６を介して脈拍計１内部のコンピュータを主体とした電子回路に入力され、その電子回路にて脈波信号が処理される。その処理結果は、脈拍数など、脈波信号に由来する各種情報としてＬＣＤ４に表示される。
【００１５】
なお、脈波信号を正確に検出するためには、脈波センサ８を最適な圧力で指に押圧させた状態で固定する必要があり、その固定にはサポータ２０が使用される。サポータ２０は伸縮性素材でできた帯状で、マジックテープなどによって指に巻回された状態で固定可能となっている。あるいは端部がない管状で、検出部位１２に環装して脈波センサ８を固定するタイプもある。いずれにしても、利用者は、検出部位１２の太さに応じたサイズのサポータ２０を用いることで、最適な圧力で脈波センサ８を検出部位１２に押圧させた状態で固定することができ、それによって、脈拍数などを正確に計測することができる。
【００１６】
＝＝＝本発明の実施例＝＝＝
図３に本発明の一実施形態に係るゲージ３０ａを示した。同図（Ａ）は、ゲージ３０ａ全体の平面図であり、（Ｂ）は（Ａ）における矩形部分５０の拡大図である。このゲージ３０ａによってサイズが特定されるサポータ２０は、図２に示したように、一差し指１１の付け根部分を検出部位１２とし、その検出部位１２に脈波センサ８を押圧した状態で固定するものである。
【００１７】
このゲージ３０ａは、帯状で、例えば、プラスチックフィルムなどによって形成されており、可撓性を有する。また、当該ゲージ３０ａは「巻き尺」であるので、帯の長手方向に対しては伸縮性を有しない素材でできている。それによって、検出部位１２に巻回可能で、かつ正確に巻回した部位の太さを計測することができるようになっている。
【００１８】
ここで、便宜的に、帯状のゲージ３０ａの長手方向を左右方向、幅方向を上下方向とすると、ゲージ３０ａは、一様な幅で左右に延長する帯部３１と、その左右いずれか端部（基端）３２側に一体的に形成された略矩形状の幅広部３３とからなり、幅広部３３には、上下方向に延長して開口するスリット（３４,３５）が２列形成されている。また、幅広部３３には、巻回した部位の長さを測る際の基準点となるマーク３６が上下２箇所に所定の間隔をおいて記入されている。なお、この例では、その間隔は帯部３１の幅にほぼ一致している。もちろん、この基準点は適宜に設定でき、マーク３６を記入しなくても、例えば、一方のスリット（３４，３５）における左右いずれかの辺（３４ａ，３４ｂ，３５ａ，３５ｂ）、あるいは幅広部３３の左右いずれかの縁辺（３３ａ，３３ｂ）など、基準点は適宜に設定することができる。
【００１９】
帯部３１の表面には、マーク３２を起点として帯部３２の先端３７に向かう長さにおける所定の長さ範囲３８を区分するように複数の矩形領域（サイズ表示部：３９Ｓ，３９Ｍ，３９Ｌ）が左右に連続するように印刷されている。本実施形態では、このサイズ表示部（３９Ｓ，３９Ｍ，３９Ｌ）の数は、脈波センサ８を固定するサポータ２０のサイズの種類の数と同じであり、各サイズ表示部（３９Ｓ，３９Ｍ，３９Ｌ）には、それぞれ該当するサイズが表示されている。この例では、Ｓ、Ｍ、Ｌの３種類のサイズに対応して三つのサイズ表示部（３９Ｓ，３９Ｍ，３９Ｌ）が印刷されている。そして、隣り合うサイズ表示部の境界は、双方のサイズの重複領域であり、この実施例における重複領域は、（Ｂ）に示したように、隣り合うサイズ表示部の境界線を同方向に傾斜する斜線とすることで形成されている。
【００２０】
図４に、上記ゲージ３０ａを用いて検出部位１１の太さを測定している状態を示した。（Ａ）は、検出部位１２の太さを計測している状態であり、（Ｂ）は、（Ａ）における円６０内を拡大した図であり、検出部位１２の計測に基づいてサポータ２０のサイズを特定するための説明図である。幅広部３３を起点として指１１の検出部位１２にゲージ３０ａを巻き付けつつ、帯部３１の先端３７を幅広部３３の端部側のスリット３４に外側から通し、帯部３１側のスリット３５から外側に引き出す。そして、指１１とゲージ３０ａとの間に遊びが無くなるまで帯部３３の先端３７を引っ張る。このときのマーク３６が指示するサイズ表示部（３９Ｓ，３９Ｍ，３９Ｌ）に記載されているサイズがサポータ２０のサイズとなる。この図では「Ｍ」サイズとなる。
【００２１】
ここで、従前の方法でサポータのサイズを特定する際の問題点を挙げて、上記実施形態におけるゲージ（実施例のゲージ）３０ａの特徴を説明する。図５に従前の方法でサポータ２０のサイズを特定するためのゲージ（従来ゲージ：符号１３０）と、上記実施例のゲージ３０ａのそれぞれによって検出部位１２の太さを測定したときの状態を例示した。（Ａ）は、従来ゲージ１３０の概略図であり、（Ｂ）はその従来ゲージ１３０による検出部位１２の測定状態を示した。また、（Ｃ）に上記実施例のゲージ３０ａによる検出部位１２の測定状態を示した。従来ゲージ１３０では、各サイズ表示部（１３９Ｓ，１３９Ｍ，１３９Ｌ）の境界線１４０は、帯部３１の延長方向に対して直交しており、このゲージ１３０を用いて検出部位１２の太さを測定すると、（Ｂ）に示したように、マーク３６が隣接するサイズ表示部（１３９Ｓ，１３９Ｍ）の境界線１４０を指示してしまう場合があり、このような場合では、利用者は、サポータ２０のサイズを特定することができない。
【００２２】
一方、（Ｃ）に示したように、本実施例のゲージ３０ａでは、マーク３６が斜めの境界線４０を指示し、２つの領域（３９Ｓ，３９Ｍ）の双方のサイズ（ＳとＭ）を指示することになる。この場合、利用者は、マーク３６が指示する斜めの境界線４０の位置に応じ、例えば、斜線４０上で、マーク３６が指示する点４０ｐを境界にして分割された斜線（４０Ｓ，４０Ｍ）の内、線分が長い方のサイズを選択すればよい。図示した例では「Ｍ」を選択すればよい。
【００２３】
＝＝＝その他の実施例＝＝＝
重複領域は上記実施例に限らず、隣り合うサイズ表示部同士が重なっていることが識別できればよい。例えば、図６（Ａ）に示したゲージ３０ｂのように、各サイズ表示部（３９Ｓ，３９Ｍ，３９Ｌ）の色や濃淡を変え、重複領域４０ｂは、長手方向に向かって隣りのサイズ表示部（３９Ｓ−３９Ｍ，３９Ｍ−３９Ｌ）の色や濃淡に徐々に変化するグラデーション表示によって形成してもよい。そして、検出部位１２の太さが重複領域に該当する場合、マーク３６が指示した部分のグラデーションの色や濃度に応じて一方のサイズを選択すればよい。もちろん、重複領域にのみグラデーション表示を行い、また、図６（Ｂ）に示したように、各サイズ表示部（３９Ｓ，３９Ｍ，３９Ｌ）の幅を変え、重複領域４０ｃは、その幅が徐々に一方のサイズ表示部（３９Ｓ−３９Ｍ，３９Ｍ−３９Ｌ）の幅に移行する領域としてもよい。
【００２４】
前記帯部に、前記基準点からの長手方向の長さを表記するための目盛りを付記してもよい。図７に、当該目盛りを備えたゲージの一実施形態を示した。このゲージ３０ｄでは、サイズ表示部（３９Ｓ，３９Ｍ，３９Ｌ）に加え、帯部３１の左右の位置を長さによって示す目盛り４１が付記されている。それによって、マーク３６が斜線４０上を指示していた場合、そのマーク４０によって二つに分割される線分（図５：４０Ｓ，４０Ｍ）のいずれが長いのかをより正確に測定し、正しいサイズのサポータ２０を選択することができるようになっている。
【００２５】
なお、上記実施例のゲージ（３０ａ〜３０ｄ）では、Ｓ、Ｍ、Ｌの３種類のサイズのサポータ２０が用意されて、サイズ表示部（３９Ｓ，３９Ｍ，３９Ｌ）の数もそのサイズの種類と同じ数だけ標記されていた。もちろん、Ｓサイズよりも小さいＳＳサイズ、あるいはＬよりも大きなＬＬサイズなど、サイズ表示部（３９Ｓ，３９Ｍ，３９Ｌ）の数より多いサポータ２０が用意されていてもよく、例えば、検出部位１２の太さを測定した結果、Ｓより細ければＳＳサイズ、Ｌよりも太ければＬＬサイズなどとすればよい。
【００２６】
帯部３１を検出部位１２に巻回した状態で保持するために、上記実施例ではスリット（３４，３５）を形成していたが、帯部３１を保持する構造は、スリット（３４，３５）に限らず、例えば、ゲージ（３０ａ〜３０ｄ）の表裏をそれぞれマジックテープのオス面とメス面にするなど、適宜な構造を採用することができる。
【００２７】
検出部位は、上記実施例が対象とする部位に限らず、手首、首、上腕、大腿など脈拍が検出できる部位であればどこでもよく、それに対応するサポータとそのサポータのサイズを特定するために必要な長さを有したゲージがあればよい。
【符号の説明】
【００２８】
１  腕時計型脈拍計、８  脈波センサ、１２  検出部位、２０  サポータ、
３０ａ〜３０ｄ  ゲージ、３１  帯部、３３  幅広部、３４，３５  スリット、
３６  マーク、３９Ｓ，３９Ｍ，３９Ｌ  サイズ表示部、
４０，４０ｂ，４０ｃ  重複領域
【図１】
2010194226.tif 000003
【図２】
2010194226.tif 000004
【図３】
2010194226.tif 000005
【図４】
2010194226.tif 000006
【図５】
2010194226.tif 000007
【図７】
2010194226.tif 000008
【図６】
2010194226.tif 000009